(57)【要約】      （修正有）【課題】より簡便に、住戸内の居住者の状態を、住戸外の第三者が把握できる装置およびシステムを提供する。【解決手段】照明装置１０は、住戸の空間に設置される照明装置本体を有し、照明装置本体が、さらに、生体情報検出部と通信部と処理部と出力部とを備える。生体情報検出部は、照明装置本体が設置された空間における生体情報を検出する。通信部は、住戸のドア付近に設置される磁気検出装置４０と通信可能であり、磁気検出装置から送信された磁気検出データを受信する。処理部は、受信した生体情報検出データに基づいて、空間における生体の有無および生体の移動の有無を分析し、受信した磁気検出データに基づいて、ドアの施錠と開錠またはドアの開閉を分析し、出力部は、処理部で得られた分析データを、通信回線網２０を介して外部端末３０に送信する。【選択図】図３
2019153095.tif 000002
【特許請求の範囲】
【請求項１】
住戸の空間に設置される照明装置本体を有し、
前記照明装置本体が、照明部と、生体情報検出部と、通信部と、処理部と、出力部とを有し、
前記生体情報検出部は、
前記照明装置本体が設置された空間における生体情報を検出し、
前記通信部は、
前記住戸のドア付近に設置される磁気検出装置と、通信可能であり、
前記磁気検出装置から送信された磁気検出データを受信し、
前記処理部は、
前記生体情報検出部で検出した前記生体情報検出データに基づいて、前記空間における生体の有無および生体の移動の有無を分析し、
受信した前記磁気検出データに基づいて、前記ドアの施錠と開錠、または、前記ドアの開閉を分析し、
前記出力部は、
前記処理部で得られた分析データを、通信回線網を介して、外部端末に送信する
ことを特徴とする照明装置。
【請求項２】
前記生体情報検出部は、人感センサまたはカメラである、請求項１記載の照明装置。
【請求項３】
前記人感センサは、焦電型センサまたは赤外線センサである、請求項２記載の照明装置。
【請求項４】
さらに、検出制御部を有し、
前記検出制御部は、前記生体情報検出部による検出の開始と停止とを制御する、請求項１から３のいずれか一項に記載の照明装置。
【請求項５】
前記検出制御部は、任意の時間間隔で、前記生体情報検出部による検出を開始する、請求項４記載の照明装置。
【請求項６】
前記検出制御部は、検出開始から任意の時間経過時に、前記生体情報検出部による検出を停止する、請求項４または５記載の照明装置。
【請求項７】
前記処理部は、経時的な前記生体情報検出データから、生体の有無および生体の移動の有無を分析する、請求項１から６のいずれか一項に記載の照明装置。
【請求項８】
前記照明装置本体の光源が、ＬＥＤまたは有機ＥＬである、請求項１から７のいずれか一項に記載の照明装置。
【請求項９】
前記出力部は、通信モジュールを有し、前記通信モジュールを介して、前記外部端末と接続可能である、請求項１から８のいずれか一項に記載の照明装置。
【請求項１０】
前記通信部は、無線通信を行う無線通信部である、請求項１から９のいずれか一項に記載の照明装置。
【請求項１１】
前記通信部は、さらに、前記生体情報検出部で検出された生体情報検出データ、および、前記磁気検出装置から受信した前記磁気検出データを、前記処理部に送信し、
前記処理部は、前記生体情報検出データおよび前記磁気検出データを受信し、前記分析を行う、請求項１から１０のいずれか一項に記載の照明装置。
【請求項１２】
前記無線通信部による無線通信方式が、規格ＩＥＥＥ  ８０２．１５．１および規格ＩＥＥＥ  ８０２．１５．４の少なくとも一方である、請求項１０または１１に記載の照明装置。
【請求項１３】
前記照明装置が、天井設置用または壁設置用である、請求項１から１２のいずれか一項に記載の照明装置。
【請求項１４】
前記住戸内における生体の移動の検出と、前記ドアの施錠と開錠または前記ドアの開閉の検出とにより、安否確認の要否を検出するシステムである、請求項１から１３のいずれか一項に記載の照明装置。
【請求項１５】
前記処理部は、さらに、生体の有無および生体の移動の有無について、経時的な変化を分析し、
前記変化がない場合、前記照明装置が設置された住戸の居住者の安否確認が必要であるとの判断結果を、前記分析データとして、前記通信回線網を介して、前記外部端末に送信し、
前記変化がある場合、前記居住者の安否確認が不要であるとの判断結果を、前記分析データとして、前記通信回線網を介して、前記外部端末に送信する、請求項１から１４のいずれか一項に記載の照明装置。
【請求項１６】
前記処理部は、さらに、生体の有無および生体の移動の有無について、経時的な変化を分析し、
前記変化がなく、且つ、前記ドアの施錠と開錠または前記ドアの開閉があると分析された場合、前記照明装置が設置された住戸の居住者の安否確認が必要であるとの判断結果を、前記分析データとして、前記通信回線網を介して、前記外部端末に送信し、
前記変化がある場合、前記居住者の安否確認が不要であるとの判断結果を、前記分析データとして、前記通信回線網を介して、前記外部端末に送信する、請求項１から１５のいずれか一項に記載の照明装置。
【請求項１７】
さらに、アラート部を有し、
前記出力部は、前記外部端末に情報を送信し、前記外部端末からの情報を受信する、送受信部であり、
前記出力部が前記外部端末から送信されたアラート情報を受信すると、前記アラート部は、アラートを発信する、請求項１から１６のいずれか一項に記載の照明装置。
【請求項１８】
前記アラート部が、スピーカである、請求項１７記載の照明装置。
【請求項１９】
照明装置と、端末とを有し、
前記照明装置と前記端末とは、通信回線網を介して接続可能であり、
前記照明装置は、請求項１から１８のいずれか一項に記載の照明装置であり、
前記端末は、送受信部と、表示部とを有し、
前記送受信部は、
前記通信回線網を介して、前記照明装置の出力部から送信された分析データを受信し、
前記表示部は、
前記受信した分析データを表示する
ことを特徴とする生体移動検出システム。
【請求項２０】
前記端末は、ポータブル端末である、請求項１９記載の生体移動検出システム。
【請求項２１】
前記端末は、スマートフォン、タブレット、携帯電話、およびウェアラブルデバイスからなる群から選択された少なくとも一つである、請求項１９または２０記載の生体移動検出システム。
【請求項２２】
さらに、住戸のドア付近に設置される磁気検出装置を有し、
前記磁気検出装置は、磁気センサと、通信部とを有し、
前記磁気センサは、
前記ドアの施錠と開錠とによる磁気変化、または、前記ドアの開閉による磁気変化を検出し、
前記通信部は、
前記照明装置と通信可能であり、
前記磁気センサが検出した磁気検出データを、前記照明装置に送信する、請求項１９から２１のいずれか一項に記載の生体移動検出システム。
【請求項２３】
住戸の空間に設置される請求項１から１８のいずれか一項に記載の照明装置と、前記住戸のドア付近に設置される磁気検出装置とを使用し、
照明工程と、生体情報検出工程と、磁気検出工程と、通信工程、処理工程と、出力工程を有し、
前記照明工程は、
前記照明装置により、住戸の空間を照明し、
前記生体情報検出工程は、
前記照明装置の前記生体情報検出部により、前記照明装置が設置された空間における生体情報を検出し、
前記磁気検出工程は、
前記磁気検出装置により磁気を検出し、
前記通信工程は、
前記磁気検出装置が検出した磁気検出データを、前記照明装置に送信し、
前記処理工程は、
前記照明装置の前記処理部により、
検出した前記生体情報検出データに基づいて、前記空間における生体の有無および生体の移動の有無を分析し、
受信した前記磁気検出データに基づいて、前記ドアの施錠と開錠、または、前記ドアの開閉を分析し、
前記出力工程は、
前記処理部で得られた分析データを、通信回線網を介して、外部端末に送信する
ことを特徴とする生体移動検出方法。
【請求項２４】
前記生体情報検出工程において、任意の時間間隔で、前記生体情報検出部による検出を開始する、請求項２３記載の生体移動検出方法。
【請求項２５】
前記生体情報検出工程において、検出開始から任意の時間経過時に、前記生体情報検出部による検出を停止する、請求項２３または２４記載の生体移動検出方法。
【請求項２６】
前記処理工程において、経時的な前記生体情報検出データから、生体の有無および生体の移動の有無を分析する、請求項２３から２５のいずれか一項に記載の生体移動検出方法。
【請求項２７】
前記通信工程は、無線通信により、前記磁気検出装置が検出した磁気検出データを、前記照明装置に送信する、請求項２３から２６のいずれか一項に記載の生体移動検出方法。
【請求項２８】
前記通信工程において、無線通信方式が、規格ＩＥＥＥ  ８０２．１５．１および規格ＩＥＥＥ  ８０２．１５．４の少なくとも一方である、請求項２３から２７のいずれか一項に記載の生体移動検出方法。
【請求項２９】
前記住戸内における生体の移動の検出と、前記ドアの施錠と開錠または前記ドアの開閉の検出とにより、安否確認の要否を検出する、請求項２３から２８のいずれか一項に記載の生体移動検出方法。
【請求項３０】
前記処理工程において、さらに、生体の有無および生体の移動の有無について、経時的な変化を分析し、
前記変化がない場合、前記照明装置が設置された住戸の居住者の安否確認が必要であるとの判断結果を、前記分析データとして、前記通信回線網を介して、前記外部端末に送信し、
前記変化がある場合、前記居住者の安否確認が不要であるとの判断結果を、前記分析データとして、前記通信回線網を介して、前記外部端末に送信する、請求項２３から２９のいずれか一項に記載の生体移動検出方法。
【請求項３１】
前記処理工程において、さらに、生体の有無および生体の移動の有無について、経時的な変化を分析し、
前記変化がなく、且つ、前記ドアの施錠と開錠または前記ドアの開閉があると分析された場合、前記照明装置が設置された住戸の居住者の安否確認が必要であるとの判断結果を、前記分析データとして、前記通信回線網を介して、前記外部端末に送信し、
前記変化がある場合、前記居住者の安否確認が不要であるとの判断結果を、前記分析データとして、前記通信回線網を介して、前記外部端末に送信する、請求項２３から３０のいずれか一項に記載の生体移動検出方法。
【請求項３２】
前記照明装置の前記出力部は、前記外部端末に情報を送信し、前記外部端末からの情報を受信する、送受信部であり、
さらに、アラート工程を有し、
前記アラート工程は、前記照明装置の前記出力部が前記外部端末から送信されたアラート情報を受信すると、アラートを発信する、請求項２３から３１のいずれか一項に記載の生体移動検出方法。
【請求項３３】
請求項２３から３２のいずれか一項に記載の生体移動検出方法をコンピュータに実行させることを特徴とするプログラム。
【請求項３４】
請求項３３記載のプログラムを記録したコンピュータ読み取り可能な記録媒体。
【発明の詳細な説明】
【技術分野】
【０００１】
本発明は、照明装置、生体移動検出システム、生体移動検出方法、プログラム、および記録媒体に関する。
【背景技術】
【０００２】
近年の高齢化に伴って、高齢者の孤独死が増加しており、社会的な問題となっている。このような実情から、特に、独居高齢者の場合、住戸を借りる際、孤独死を懸念する家主から入居契約を断られるというようなケースも頻発している。一方、家主側としても、入居希望者が多いにもかかわらず、住戸を貸したくても貸すことができず、空き部屋が発生するという問題がある。このため、高齢者の孤独死を防止し、また、危機を早期発見するための対策が望まれている。この問題は、例えば、高齢者だけでなく、例えば、一人暮らしの障がい者、病人等についても同様である。
【０００３】
そこで、居住者の孤独死等を早期発見する方法として、例えば、異常検知器を住戸に設置し、異常を検知した際に、監視センタに通報を行うシステムが報告されている（特許文献１）。
【０００４】
しかしながら、住戸ごとに、専用の異常検知器を設置するには、コストがかかり、また、取付スペースの問題もある。特に、一人暮らし用のアパートの場合、家主は、多くの戸数を所有しているため、導入のハードルが高い。
【先行技術文献】
【特許文献】
【０００５】
【特許文献１】特開２０１５−００１８１６号公報
【発明の概要】
【発明が解決しようとする課題】
【０００６】
そこで、本発明は、より簡便に、住戸内の居住者の状態を、住戸外の第三者が把握できる装置およびシステムを提供することを目的とする。
【課題を解決するための手段】
【０００７】
前記目的を達成するために、本発明の照明装置は、
住戸の空間に設置される照明装置本体を有し、
前記照明装置本体が、照明部と、生体情報検出部と、通信部と、処理部と、出力部とを有し、
前記生体情報検出部は、前記照明装置本体が設置された空間における生体情報を検出し、
前記通信部は、前記住戸のドア付近に設置される磁気検出装置と、通信可能であり、前記磁気検出装置から送信された磁気検出データを受信し、
前記処理部は、前記生体情報検出部で検出した前記生体情報検出データに基づいて、前記空間における生体の有無および生体の移動の有無を分析し、受信した前記磁気検出データに基づいて、前記ドアの施錠と開錠、または、前記ドアの開閉を分析し、
前記出力部は、前記処理部で得られた分析データを、通信回線網を介して、外部端末に送信することを特徴とする。
【０００８】
本発明の生体移動検出システムは、
照明装置と、端末とを有し、
前記照明装置と前記端末とは、通信回線網を介して接続可能であり、
前記照明装置は、前記本発明の照明装置であり、
前記端末は、送受信部と、表示部とを有し、
前記送受信部は、前記通信回線網を介して、前記照明装置の出力部から送信された分析データを受信し、
前記表示部は、前記受信した分析データを表示することを特徴とする。
【０００９】
本発明の生体移動検出方法は、
住戸の空間に設置される前記本発明の照明装置と、前記住戸のドア付近に設置される磁気検出装置とを使用し、
照明工程と、生体情報検出工程と、磁気検出工程と、通信工程、処理工程と、出力工程を有し、
前記照明工程は、前記照明装置により、住戸の空間を照明し、
前記生体情報検出工程は、前記照明装置の前記生体情報検出部により、前記照明装置が設置された空間における生体情報を検出し、
前記磁気検出工程は、前記磁気検出装置により磁気を検出し、
前記通信工程は、前記磁気検出装置が検出した磁気検出データを、前記照明装置に送信し、
前記処理工程は、前記照明装置の前記処理部により、検出した前記生体情報検出データに基づいて、前記空間における生体の有無および生体の移動の有無を分析し、受信した前記磁気検出データに基づいて、前記ドアの施錠と開錠、または、前記ドアの開閉を分析し、
前記出力工程は、前記処理部で得られた分析データを、通信回線網を介して、外部端末に送信することを特徴とする。
【００１０】
本発明のプログラムは、前記本発明の生体移動検出方法をコンピュータに実行させることを特徴とする。
【００１１】
本発明の記録媒体は、前記本発明のプログラムを記録したコンピュータ読み取り可能な記録媒体である。
【発明の効果】
【００１２】
本発明によれば、例えば、住戸に必須である照明装置を付け替えるだけで、通常の照明機能を果たしながら、あわせて、生体の移動と、ドアの施錠・開錠またはドアの開閉とを検出し、住戸の外部の者に、その結果を出力できる。このため、例えば、入居者が、一人暮らしの高齢者等であっても、外部の家主等の第三者が、容易に入居者が在室しているか、動いているか等を知ることができ、孤独死の防止、危機の早期発見等が可能になる。
【図面の簡単な説明】
【００１３】
【図１】図１は、実施形態１の検出システムの全体の一例を示す概略図である。
【図２】図２は、実施形態１における磁気検出装置と磁石との位置関係を示す概略図である。
【図３】図３は、実施形態１の照明装置の一例を示すブロック図である。
【図４】図４は、実施形態１の変形例の照明装置の一例を示すブロック図である。
【図５】図５は、実施形態１の変形例の照明装置の一例を示すブロック図である。
【図６】図６は、実施形態１の検出方法の一例を示すフローチャートである。
【図７】図７は、実施形態１の変形例の検出方法の一例を示すフローチャートである。
【図８】図８は、外部端末３０の表示部における、分析データの表示の一例を示す概略図である。
【発明を実施するための形態】
【００１４】
本発明は、前述のように、例えば、高齢者、障がい者、および病人のように、住戸内で動けなくなる可能性がある居住者について、その身の安全を、外部の者が検知する場合に有用である。本発明の生体移動検出システムおよび生体移動検出方法は、例えば、本発明の照明装置を、対象者の住戸に照明装置として設置し、前記対象者の状態を知りたい第三者（以下、見守り者という）が、外部端末を所有することで、実施できる。見守り者は、例えば、前記住戸の家主、前記対象者の家族、介護者、看護師等である。本発明によれば、例えば、対象者が住戸内にいるか否か、住戸内を動いているか否か、ドアの施錠・開錠、ドアの開閉を、検出できる。このため、見守り者は、例えば、対象者が長時間不在、対象者が長時間動いている様子がない、対象者の住戸のドアが長時間開錠されていない、対象者の住戸のドアが長時間開閉されていない、ということを示す分析データを受信すると、対象者の住戸を訪ねて声かけする、対象者に電話するという対応を取ることができる。このため、見守り者は、例えば、本発明を介して受信した、リアルタイムの分析データに基づいて、対象者に対しての行動をとることができる。本発明の照明装置は、例えば、生体移動検出を兼ねる、生体移動検出用照明装置ともいえる。
【００１５】
つぎに、本発明の照明装置、生体移動検出システム（以下、検出システムという）および生体移動検出方法（以下、検出方法という）について、図を用いて、例をあげて説明する。本発明は、下記の実施形態によって何ら限定および制限されない。各実施形態における説明は、それぞれ、互いを援用できる。
【００１６】
（実施形態１）
本実施形態の照明装置およびそれを用いた検出システムの一例について、図１を用いて説明する。図１は、前記照明装置および前記検出システムを使用する際の全体の構成を示す概略図である。対象者２の住戸１の部屋に、照明装置１０が取付けられ、住戸１のドア５０付近に、磁気検出装置４０が取付けられている。一方、対象者２の状態を知りたい見守り者３は、端末３０を携帯している。そして、照明装置１０と端末３０とは、通信回線網（ネットワーク）２０を介して接続可能であり、照明装置１０と磁気検出装置４０とは、通信可能である。照明装置１０と磁気検出装置４０との通信方式は、後述するように、制限されないが、以下、無線通信４０Ａを例にあげて説明する。
【００１７】
住戸１において、照明装置１０を取り付ける部屋は、特に制限されない。住戸１には、一般的に、寝室、リビング、キッチン、トイレ等の複数の部屋がある。本実施形態の検出システムによれば、対象者２が、住戸１内にいるか否か、住戸１内を動いているかを示す分析データが得られる。このため、照明装置１０の取り付けは、例えば、全室に行ってもよいし、対象者が長時間を過ごす部屋（例えば、リビング、寝室等）に行ってもよい。
【００１８】
照明装置１０は、例えば、天井設置用または壁設置用があげられ、天井設置用が好ましい。照明装置１０を天井に設置することによって、例えば、より広範囲での生体情報の検出が可能である。
【００１９】
住戸１において、磁気検出装置４０を取り付ける対象となるドア５０は、例えば、部屋のドア、玄関ドアがあげられ、中でも前記玄関ドアが好ましい。ドア５０に対する磁気検出装置４０の設置箇所は、特に制限されない。本発明において、ドア５０の施錠・開錠を分析する場合、例えば、施錠と開錠との切替による磁気変化を検出できる位置であり、ドア５０の開閉を分析する場合、例えば、前記ドア５０の開閉の切替による磁気変化を検出できる位置である。
【００２０】
ドア５０の施錠は、例えば、ドア５０のデッドボルト（本締）の閂（かんぬき）が、対応するストライク（受け座）に嵌ることにより行われ、ドア５０の開錠は、前記ストライクからデッドボルトが抜き出されることにより行われる。前記施錠・開錠は、例えば、鍵によって操作されてもよいし、サムターンによって操作されてもよい。ドア５０の開閉は、前記施錠・開錠には限定されず、人が出入りするための、ドア５０の開閉も意味する。
【００２１】
ドア５０の施錠と開錠との切替による磁気変化およびドア５０の開閉の切替による磁気変化を発生させる方法は、特に制限されず、例えば、磁石が利用できる。前記磁石は、例えば、ドア５０の施錠・開錠の切替またはドア５０の開閉により、磁気検出装置４０に対する距離または角度が変化する位置に、配置することが好ましい。これにより、ドア５０の施錠・開錠またはドア５０の開閉により、磁気変化を発生させることができる。具体例として、図２に、ドア５０のサムターン５１に前記磁石を配置する形態を示す。図２は、ドア５０のサムターン５１と、磁気検出装置４０との位置関係を示す概略図である。図２において、サムターン５１には、磁石５２が固定されている。図２に示すように、例えば、（Ａ）の施錠の状態では、サムターン５１は、横方向となり、（Ｂ）の開錠の状態では、サムターン５１は、縦方向となる。そして、サムターン５１に固定された磁石５２は、前記（Ａ）の施錠の状態と、前記（Ｂ）の開錠の状態とでは、磁気検出装置４０に対する距離が変化している。このため、磁気検出装置４０は、サムターン５１による施錠と開錠との切替による、磁気変化を検出できる。
【００２２】
また、これには制限されず、例えば、ドア５０に磁石５２を固定し、ドア５０枠側に磁気検出装置４０を配置してもよい。この場合、ドア５０を開けると、磁石５２は、ドア５０枠から遠くなり、ドア５０を閉めると、磁石５２は、ドア５０枠から近くなる。このため、磁気検出装置４０は、ドア５０の開閉による磁気変化を検出できる。
【００２３】
照明装置１０と磁気検出装置４０との通信方式は、前述のように、特に制限されず、例えば、無線通信４０Ａがあげられる。この場合、例えば、照明装置１０は、磁気検出装置４０との通信部として無線通信部を有し、磁気検出装置４０は、照明装置１０との通信部として無線通信部を有する。
【００２４】
照明装置１０と端末３０を接続する通信回線網２０は、例えば、公知の通信回線網を使用できる。その通信方法は、特に制限されず、例えば、有線でも無線でもよく、具体的には、例えば、インターネット回線、電話回線等があげられる。
【００２５】
端末３０は、通信回線網２０を介して、照明装置１０と接続可能であればよく、例えば、通信モジュールを有する。また、端末３０は、例えば、ＣＰＵ（中央処理装置）、出力部、入力部、記憶部等を有し、それぞれ、インターフェイス（Ｉ／Ｆ）によって接続されてもよい。前記出力部は、例えば、ディスプレイ等の表示部、音声出力部等である。端末３０は、特に制限されず、例えば、ポータブル端末があげられる。前記ポータブル端末は、具体例として、スマートフォン、タブレット、携帯電話、およびウェアラブルデバイス等があげられる。前記ウェアラブルデバイスは、例えば、腕時計型、眼鏡型、指輪型、靴型、懐中型、ペンダント型等があげられる。
【００２６】
つぎに、本実施形態の照明装置１０の一例について、図３を用いて説明する。図３は、照明装置１０の一例を示すブロック図である。なお、図３において、便宜上、図１と同様に、端末３０との通信回線網を介した接続、磁気検出装置４０との無線通信による接続を示す。照明装置１０は、照明装置本体１１を有する。照明装置本体１１は、照明部１０１を有し、さらに、生体情報検出部１０２と、前記通信部の一例である無線通信部１０３と、処理部１０４と、外部端末への出力部１０５とを有する。
【００２７】
照明装置１０は、照明装置本体１１と、照明装置本体１１の照明部１０１等を覆うカバー部材（図示せず）から構成される。すなわち、照明装置本体１１は、いわゆる、照明装置の基本構造を意味し、例えば、照明装置として機能するための、光源を含む照明部１０１、電源部等を備える。照明装置本体１１の構成および構造は、特に制限されず、前述のように、照明装置として機能し、且つ、生体情報検出部１０２、無線通信部１０３、処理部１０４、および出力部１０５を、さらに搭載できればよい。また、照明装置本体１１の形態は、特に制限されず、例えば、天井に備え付けられた引掛シーリングに取り付けられて使用されるシーリングライトや吊り下げペンダント等があげられる。照明部１０１の光源の種類は、特に制限されず、例えば、ＬＥＤ、有機ＥＬ等があげられる。照明装置１０において、例えば、生体情報検出部１０２、無線通信部１０３、処理部１０４、および出力部１０５は、前記照明装置本体における設置側の基板と、照光側に設けられた拡散カバー（図示せず）との間に収容されてもよい。前記基板は、例えば、ＬＥＤ等の光源、電源回路等を固定する本体基板であり、前記拡散カバーは、例えば、光源から出射した光を拡散させまぶしさを低減させるカバーである。前記電源部は、例えば、直接的または間接的に、外部の電源と接続し、照明部１０１、生体情報検出部１０２、無線通信部１０３、処理部１０４、出力部１０５に、電力を供給する。
【００２８】
また、昼間等のように照明が不要の時は、例えば、自動点灯装置等を設置することにより、照明部１０１を消灯した状態のまま、生体情報検出部１０２、無線通信部１０３、処理部１０４、出力部１０５を動作させることができる。
【００２９】
生体情報検出部１０２は、照明装置本体１１が設置された空間における生体情報を検出する。生体情報検出部１０２の種類は、特に制限されず、人体の存在を表す生体情報を検出できればよい。具体例として、生体情報検出部１０２は、例えば、人感センサまたはカメラがあげられる。生体情報検出部１０２は、例えば、安価であり、複雑な情報処理が不要であることから、前記人感センサが好ましい。前記人感センサは、例えば、焦電型センサまたは赤外線センサであり、前記赤外線センサは、例えば、複数が装着されたアレイ型でもよい。人体は、赤外線を放射する。このため、例えば、前記人感センサで空間の赤外線を検出すれば、その生体情報検出データから、後述する処理部１０４において、前記空間における生体の有無および生体の動きを分析できる。また、カメラの場合、前記空間の画像を撮像すれば、その撮像データ（前記生体情報検出データ）から、後述する処理部１０４において、前記空間における生体の有無および生体の動きを分析できる。
【００３０】
前述のように、照明装置１０は、例えば、天井に設置することが好ましいが、壁部や床下であってもよい。照明装置１０に搭載された生体情報検出部１０２によって、例えば、図１の点線の円で囲まれる領域４内での生体情報を検出できる。領域４を、以下、検出領域４ともいう。検出領域４の大きさは、特に制限されず、例えば、照明装置１０に搭載した生体情報検出部１０２の種類や数、照明装置１０を取り付けた天井の高さ、部屋の大きさ等によって、適宜設定できる。１個の照明装置１０による検出領域４は、例えば、単身の高齢者用の一般的な間取りから、１Ｋが想定できる。
【００３１】
照明装置１０において、磁気検出装置４０に対する通信部は、前述のように、特に制限されず、無線通信部１０３が例示できる。無線通信部１０３は、照明装置１０とは別の外部機器である磁気検出装置４０と、無線通信可能である。そして、無線通信部１０３は、磁気検出装置４０から送信された磁気検出データを受信し、且つ、処理部１０４に送信する。
【００３２】
照明装置１０において、生体情報検出部１０２で検出された生体情報検出データは、処理部１０４に送られ、後述するように分析される。生体情報検出部１０２と処理部１０４との間の通信は、特に制限されず、例えば、バスを介した回路間の通信でもよいし、無線通信部を介した、無線通信でもよい。後者の場合、前記無線通信部として、無線通信部１０３が利用できる。無線通信部１０３は、同じ照明装置１０内の処理部１０４と無線通信可能である。そして、無線通信部１０３は、生体情報検出部１０２で検出された生体情報検出データを、処理部１０４に送信する。無線通信部１０３は、特に制限されず、同じ照明装置１０内に搭載された、生体情報検出部１０２と処理部１０４との間を無線接続できればよい。
【００３３】
無線通信部１０３の無線通信方式は、特に制限されず、例えば、ＩＥＥＥ（The Institute of Electrical and Electronics Engineers, Inc.）  ８０２．１５．１、ＩＥＥＥ  ８０２．１５．４等があげられる。前記ＩＥＥＥ  ８０２．１５．１は、例えば、Ｂｌｕｅｔｏｏｔｈ（登録商標）に関する規格であり、前記ＩＥＥＥ  ８０２．１５．４は、例えば、ＺｉｇＢｅｅ（登録商標）に関する規格である。その他にも、例えば、ＲＦＩＤ、赤外線通信（ＩｒＤＡ）、およびＵＷＢ等があげられる。
【００３４】
処理部１０４は、前記生体情報検出データに基づいて、生体の有無および生体の移動の有無を分析する。前述のように、前記生体情報検出データが、前記赤外線の検出データの場合、例えば、無人の状態の赤外線データを閾値とし、閾値に対して有意差を示す検出データが得られた場合、前記空間に人が存在すると判断できる。また、閾値に対して有意差を示す検出データが、経時的に変動した場合、前記空間において人が移動したと判断できる。前記照明装置本体は、例えば、さらに、記憶部を有し、前記記憶部は、例えば、前記閾値等の情報を、評価基準情報として記憶してもよい。
【００３５】
また、処理部１０４は、受信した前記磁気検出データに基づいて、ドア５０の施錠と開錠、または、ドア５０の開閉を分析する。前述のように、例えば、磁気検出装置４０と前記磁石とを、ドア５０付近に配置することにより、ドア５０の施錠・開錠の切替、または、ドア５０の開閉により、磁気変化を発生させることができる。このため、例えば、ドア５０の施錠・開錠の切替による磁気変化、または、ドア５０の開閉による磁気変化を、評価基準情報として設定し、前記磁気検出データを前記評価基準情報と対比することによって、ドア５０の施錠と開錠、またはドア５０の開閉を判断できる。前記記憶部は、ドア５０の施錠・開錠の切替と磁気変化との関係性、ドア５０の開閉と磁気変化との関係性を、前記評価基準情報として記憶してもよい。
【００３６】
処理部１０４は、例えば、ＣＰＵがあげられる。照明装置１０において、処理部１０４は、例えば、通常の照明装置本体に搭載されるため、小型デバイスであることが好ましい。前記小型デバイスとしては、例えば、小型のシングルボートコンピュータがあげられ、具体例としては、Raspberry  Pi（登録商標）等があげられる。前記ＣＰＵは、例えば、インターフェイスを介して、他の部と接続される。
【００３７】
出力部１０５は、処理部１０４で得られた分析データを、通信回線網２０を介して、外部端末３０に送信する。出力部１０５は、例えば、外部端末３０に情報を送信し、外部端末３０からの情報を受信する、送受信部でもよい。出力部１０５は、例えば、通信モジュールがあげられる。
【００３８】
照明装置本体１１は、例えば、さらに、記憶部を有してもよい。前記記憶部は、例えば、生体情報検出部１０２による生体情報検出データ、磁気検出装置４０による磁気情報検出データ、および処理部１０４による分析データ等を記憶することができる。
【００３９】
照明装置１０の出力部１０５から、通信回線網２０を介して、外部端末３０が前記分析データを受信すると、外部端末３０は、例えば、前記出力部に前記分析データを出力する。前記出力部が、例えば、ディスプレイ等の前記表示部の場合、前記分析データを前記表示部に表示してもよいし、前記出力部が、例えば、スピーカ等の前記音声出力部の場合、前記分析データを音として発してもよい。これによって、見守り者３は、外部端末３０から、対象者２の状態を把握することができる。
【００４０】
外部端末３０が前記表示部を有する場合、例えば、前記分析データは、以下のように表示することができる。なお、これは例示であって、本発明を制限するものではない。下記例は、外部端末３０としてスマートフォン、照明装置１０の設置場所として住戸１の居間を例にあげて説明する。図８は、外部端末（スマートフォン）３０の表示部３１における、分析データの表示の一例を示す概略図である。図８に示すように、スマートフォン３０の表示部３１には、時系列に、分析結果３２およびその受信時間３３が表示される。分析結果３２は、例えば、「居間での活動を〇〇時△△分確認できませんでした」、「玄関ドアの開錠を〇〇時△△分確認できませんでした」というような、メッセージとして表示される。また、対象者２の移動が確認された場合には、例えば、「居間での活動を〇〇時△△分確認できました」、玄関ドアの開錠が確認された場合には、例えば、「玄関ドアの開錠を〇〇時△△分確認できました」というメッセージ等が表示される。また、表示部３１には、あわせて、図８に示すように、対象者２の住戸情報と氏名が表示されてもよい。
【００４１】
磁気検出装置４０は、例えば、図１に示すように、住戸１のドア５０付近に設置される装置であり、磁気センサ４０１と、通信部の一例として無線通信部４０２とを有する。
【００４２】
磁気センサ４０１は、磁気を検出するセンサであり、本発明において、例えば、ドア５０の施錠と開錠とによる磁気変化、または、ドア５０の開閉による磁気変化を検出する。磁気センサ４０１としては、例えば、ホール素子等が使用できる。
【００４３】
前記通信部は、照明装置１０と通信可能であればよく、例えば、前述のように無線通信部４０２が例示できる。無線通信部４０２は、照明装置１０と無線通信可能であり、その無線通信方式は、特に制限されず、前述と同様である。
【００４４】
（変形例１）
照明装置１０は、例えば、図４のブロック図に示すように、さらに、検出制御部１０６を有してもよい。検出制御部１０６は、生体情報検出部１０２による検出の開始と停止とを制御する。検出制御部１０６は、例えば、ＣＰＵである。なお、図４において、便宜上、図３と同様に、端末３０との通信回線網を介した接続、および、磁気検出装置４０との無線通信による接続を示す。
【００４５】
検出制御部１０６によって、生体情報検出部１０２による検出の開始と停止とを制御することで、例えば、常時、連続的な検出を行うのではなく、必要な時間帯での検出、断続的な検出を行うことができ、電気代等のコストの低減や、記録データの容量の節約等を図ることができる。検出制御部１０６は、例えば、任意の時間間隔で、生体情報検出部１０２による検出を開始し、また、検出開始から任意の時間経過時に、生体情報検出部１０２による検出を停止できる。
【００４６】
生体情報検出部１０２において、経時的に生体情報検出データを得た場合、処理部１０４は、例えば、経時的に受信した前記生体情報検出データから、生体の有無および生体の移動の有無を分析する。経時的な生体情報検出データを使用することによって、例えば、対象者が部屋にいないこと、対象者が部屋にいるが動いていないこと、対象者が動いていること等を、より詳細に分析できる。
【００４７】
（変形例２）
照明装置１０は、例えば、図５のブロック図に示すように、出力部１０５が、送受信部４０５であり、さらに、アラート部１０７を有してもよい。送受信部４０５は、前述のように、例えば、通信回線網２０を介して、外部端末３０に情報を送信し、外部端末３０からの情報を受信する。また、アラート部１０７は、送受信部４０５が端末３０から送信されたアラート情報を受信すると、アラートを発信する。アラート部１０７は、例えば、スピーカであり、前記アラートは、例えば、サイレン、定型メッセージ、後述するような、見守り者３のリアルタイムのメッセージ等である。
【００４８】
見守り者３が、通信回線網２０を介して、対象者２が動いていない、ドア５０が長時間開錠されていない、ドア５０が長時間開けられていない等の分析データを受信した場合、見守り者３は、端末３０から、通信回線網２０を介して、リアルタイムで、照明装置１０にメッセージを送ることができる。そして、照明装置１０の送受信部４０５が、前記メッセージを受信すると、照明装置１０のアラート部１０７から、前記メッセージを住戸１に流すことができる。
【００４９】
つぎに、本実施形態の検出方法について、図６のフローチャートを用いて説明する。本実施形態の検出方法は、例えば、図１に示す本実施形態の検出システム、図３〜５に示す照明装置１０を用いて、次のように実施する。図６のフローチャートにおいて、太線で囲んだ工程（Ｓ３００、Ｓ３０１）は、磁気検出装置４０により実行される工程を示し、その他は、照明装置１０により実行される工程を示す。なお、本実施形態の検出方法は、図１の検出システムおよび図３〜５の照明装置１０の使用には限定されない。照明、生体情報の検出、磁気変化の検出について、順に説明するが、後述するように、これらの順番は制限されない。
【００５０】
照明装置１０は、前記照明装置本体により、照明装置１０が設置された部屋の空間を照明する（Ｓ１００）。
【００５１】
また、照明装置１０は、生体情報検出部１０２により、照明装置１０が設置された部屋の空間における生体情報を検出する（Ｓ２００）。そして、照明装置１０の無線通信部１０３により、検出された生体情報検出データを、照明装置１０の処理部１０４に送信し（Ｓ２０１）、処理部１０４が受信する。つぎに、照明装置１０の処理部１０４により、受信した前記生体情報検出データに基づいて、前記空間における生体の有無および生体の移動の有無を分析する（Ｓ２０２）。そして、照明装置１０の処理部１０４で得られた分析データを、通信回線網２０を介して、外部端末３０に送信する（Ｓ２０３）。この工程（Ｓ２００）から工程（Ｓ２０３）を、例えば、連続的または断続的に繰り返し行う。
【００５２】
他方、磁気検出装置４０は、磁気センサ４０１により、住戸１のドアの施錠と開錠とによる磁気変化、または、前記ドアの開閉による磁気変化を検出し（Ｓ３００）、無線通信部４０２により、磁気検出装置４０から照明装置１０の処理部１０４に、前記検出した磁気検出情報を送信する（Ｓ３０１）。そして、照明装置１０は、その無線通信部１０３により、磁気検出装置４０から送信された前記磁気検出情報を受信し、照明装置１０の処理部１０４に送信する。つぎに、照明装置１０の処理部１０４は、前記磁気検出情報を受信すると、受信した前記磁気検出データに基づいて、ドア５０の施錠・開錠、または、ドア５０の開閉を分析する（Ｓ３０２）。そして、照明装置１０の処理部１０４で得られた分析データを、通信回線網２０を介して、外部端末３０に送信する（Ｓ２０３）。この工程（Ｓ３００）から工程（Ｓ３０２）および工程（Ｓ２０３）を、例えば、連続的または断続的に繰り返し行う。
【００５３】
本実施形態において、照明に関する工程（Ｓ１００）、生体情報に関する工程（Ｓ２００）〜工程（Ｓ２０２）、磁気変化に関する工程（Ｓ３００）〜工程（Ｓ３０２）および工程（Ｓ２０３）は、例えば、それぞれ並行して行うことができる。また、照明に関する工程（Ｓ１００）は、任意であり、この工程（Ｓ１００）を行っていない状態で、他の工程を行ってもよい。つまり、照明装置１０について、照明のＯＮ／ＯＦＦに関わらず、他の工程を行ってもよい。
【００５４】
このような方法によれば、まず、第１の形態として、例えば、住戸内における生体移動の検出により、住戸に居住する対象者の安否確認の要否を検出できる。具体例として、例えば、前記工程（Ｓ２０２）において、生体の有無および生体の移動の有無について、経時的な変化を分析し、変化がない場合は、照明装置１０が設置された住戸１の対象者（居住者）２の安否確認が必要であるとの判断結果を、前記分析データとして、通信回線網２０を介して、見守り者３の外部端末３０に送信できる。また、変化がある場合は、対象者２の安否確認が不要であるとの判断結果を、前記分析データとして、通信回線網２０を介して、見守り者３の外部端末３０に送信できる。このため、前者の送信結果を受信した場合、見守り者３は、例えば、住戸１に出向き、対象者２への声かけを行ったり、対象者２に電話をかけることで、さらに、具体的な安否確認行動をとることができる。一方、後者の送信結果を受信した場合、見守り者３は、例えば、安否確認不要として、対象者２の住戸１に出向いたり、対象者２への電話等を省略できる。
【００５５】
さらに、前記方法によれば、第２の形態として、例えば、ドアの施錠・開錠またはドアの開閉の検出によって、前記第１の形態とは異なる観点から、住戸に居住する対象者の安否確認の要否を検出できる。具体例として、例えば、前記工程（Ｓ３０２）において、ドアの施錠・開錠またはドアの開閉を分析し、長時間においてドアの施錠・開錠の変化がない場合またはドアの開閉の変化がない場合は、照明装置１０が設置された住戸１の対象者（居住者）２の安否確認が必要であるとの判断結果を、前記分析データとして、通信回線網２０を介して、見守り者３の外部端末３０に送信できる。また、変化がある場合は、対象者２の安否確認が不要であるとの判断結果を、前記分析データとして、通信回線網２０を介して、見守り者３の外部端末３０に送信できる。このため、前者の送信結果を受信した場合、見守り者３は、例えば、住戸１に出向き、対象者２への声かけを行ったり、対象者２に電話をかけることで、さらに、具体的な安否確認行動をとることができる。一方、後者の送信結果を受信した場合、見守り者３は、例えば、安否確認不要として、対象者２の住戸１に出向いたり、対象者２への電話等を省略できる。
【００５６】
また、前記第１の形態と前記第２の形態との組み合わせから、以下のような判断も可能である。すなわち、例えば、前記工程（Ｓ２０２）において、生体の有無および生体の移動の有無について、経時的な変化がなく、前記工程（Ｓ３０２）において、ドアの施錠と開錠またはドアの開閉があると分析された場合、対象者の安否確認が必要であるとの判断結果を、前記分析データとして、前記通信回線網を介して、前記外部端末に送信してもよい。これは、生体について変化がないにもかかわらず、ドアの施錠・開錠または開閉について変化がある場合、例えば、不審者の侵入等が考え得るためである。一方、前記工程（Ｓ２０２）において、生体の有無および生体の移動の有無について、経時的な変化がある場合は、対象者の安否確認が不要であるとの判断結果を、前記分析データとして、前記通信回線網を介して、前記外部端末に送信してもよい。これは、前記対象者が動くことができていると判断できるためである。また、住戸内で生体の移動が検出され、その後に施錠、さらにその後に住戸内での移動が長時間検出されなくなった場合には、外出や旅行の可能性が高いので、安否確認の必要性は低くなる。
【００５７】
また、変形例２に示すように、照明装置１０が、さらにアラート部１０７を有する場合には、図７のフローチャートに示すようなステップを実行できる。すなわち、見守り者３が、対象者２について、安否確認が必要と思われる分析結果を、端末３０で受信した場合、見守り者３は、端末３０を用いて、照明装置１０にアラート情報を送信する。アラート情報は、例えば、見守り者３のリアルタイムの肉声メッセージ、サイレン、定型メッセージ等である。そして、照明装置１０が、送受信部４０５により、前記アラート情報を受信すると（Ｓ２０４）、アラート部１０７から前記アラートを発信する（Ｓ２０５）。
【００５８】
このように、対象者２の住戸１に設置された照明装置１０と、見守り者３の携帯する端末３０との間で、双方向の情報通信を可能とすることで、例えば、見守り者３が、端末３０を用いて、対象者２に無事を確認するメッセージやサイレンを発信できる。また、前記アラートは、例えば、災害の発生を知らせるアラート等であってもよい。住戸の周辺で災害が発生した場合でも、対象者２がそれに気づかない場合がある。このような場合に、災害を知らせるアラートを発信することにより、対象者２に、例えば、災害を知らせ、避難を促すことができる。
【００５９】
照明装置１０は、前述のように、照明として機能し、且つ、生体移動の検出およびドアの施錠・開錠または開閉を検出する。本来の照明の機能と、生体移動の検出と、ドアの施錠・開錠または開閉とは、例えば、並行して行われてもよいし、いずれか一つが停止している間に、他が実行されていてもよい。
【００６０】
照明装置１０は、例えば、通常、主電源（例えば、壁電源）をＯＮとすることで、電力が供給されるため、前記照明装置本体の照明部１０１を起動させているか否かに関わらず、生体情報検出部１０２、無線通信部１０３、処理部１０４および出力部１０５を起動させることが可能である。しかし、前記主電源をＯＮとしているかＯＦＦとしているかに関わらず、前記対象者の検出が必要な場合がある。このため、照明装置１０は、主電源がＯＮかＯＦＦかに関わらず、前記対象者の検出が可能となることから、例えば、前記照明装置本体が、さらに、蓄電部および電池部の少なくとも一方を備えることが好ましい。このように、前記蓄電池または前記電池部を備えることによって、例えば、主電源がＯＦＦであっても、前記蓄電池または前記電池部から、生体情報検出部１０２、無線通信部１０３、処理部１０４および出力部１０５に電力を供給し、これらを起動させることが可能となる。
【００６１】
前記見守り者が、例えば、主電源を常時ＯＮにしておくことを前記対象者に依頼しても、対象者が高齢者等である場合、照明装置１０による照明を切る際に、リモコン等ではなく、主電源をＯＦＦにしてしまう場合がある。また、地震、火災等の災害によって、ヒューズが飛び、前記対象者の意思にかかわらず、主電源がＯＦＦとなってしまう場合もある。しかし、照明装置１０がこのような形態であれば、例えば、主電源がＯＦＦとなった場合であっても、前記蓄電部または前記電池部等のバックアップ電源からの電力供給により、検出が可能となり、より安全性でより安心な見守りが可能となる。なお、主電源を常時ＯＮとするため、本発明の照明装置を設置する住戸の部屋において、壁電源（主電源）には、ＯＮ／ＯＦＦの切り替えを防止するためのカバーを取り付けてもよい。
【００６２】
本発明において、前記対象者として、高齢者、障がい者、および病人等を例示したが、これには制限されない。本発明は、前記見守り者にとって、住戸において一人でいることが心配される対象者が居住する住戸において利用できる。前記対象者の具体例としては、例えば、子供、ペット、徘徊癖のある認知症患者があげられる。通常、子供が単身で住戸に居住することはないが、例えば、親が、仕事、買い物、通院等により不在にしている時間帯、住戸において子供は一人で過ごしている。このような場合においても、本発明の照明装置、検出システムおよび検出方法は、有用である。また、このように、例えば、住戸の借主自体を見守る必要はないが、時間帯によって、見守りが必要な対象者がいる場合には、例えば、本発明の照明装置における前記検出制御部によって、必要な時間帯のみ、本発明の照明装置における生体情報検出部による検出を行い、その他の時間帯には、検出を停止してもよい。これによって、例えば、前記生体情報検出部による検出にかかるコストや電力を、低減できる。
【００６３】
［実施形態２］
本実施形態のプログラムは、前記実施形態の検出方法を、コンピュータ上で実行可能なプログラムである。本実施形態のプログラムを、例えば、コンピュータにインストールし、実行することによって、本発明の検出方法を実現できる。この場合、コンピュータのＣＰＵは、例えば、前記処理部、任意で前記検出制御部として機能する。また、本実施形態のプログラムは、例えば、コンピュータ読み取り可能な記録媒体等の記憶装置に記録されてもよい。前記記録媒体としては、特に限定されず、例えば、読み出し専用メモリ（ＲＯＭ）、ハードディスク（ＨＤ）、光ディスク、フロッピー（登録商標）ディスク（ＦＤ）等があげられる。
【００６４】
以上、実施形態を参照して本発明を説明したが、本発明は、上記実施形態に限定されるものではない。本発明の構成や詳細には、本発明のスコープ内で当業者が理解しうる様々な変更をできる。
【産業上の利用可能性】
【００６５】
本発明によれば、例えば、住戸に必須である照明装置を付け替えるだけで、通常の照明機能を果たしながら、あわせて、生体の移動と、ドアの施錠・開錠またはドアの開閉とを検出し、住戸の外部の者に、その結果を出力できる。このため、例えば、入居者が、一人暮らしの高齢者等であっても、外部の家主が、容易に入居者が在室しているか、動いているか等を知ることができ、孤独死の防止、早期発見等が可能になる。
【符号の説明】
【００６６】
１      住戸
２      対象者
３      見守り者
４      検出領域
１０    照明装置
１１    照明装置本体
２０    通信回線網
３０    端末
３１    表示部
３２    分析結果
３３    受信時間
４０    磁気検出装置
４０Ａ  無線通信
５０    ドア
１０１  照明部
１０２  生体情報検出部
１０３  無線通信部
１０４  処理部
１０５  出力部
１０６  検出制御部
１０７  アラート部
４０１  磁気センサ
４０２  無線通信部
４０５  送受信部
【図１】
2019153095.tif 000003
【図２】
2019153095.tif 000004
【図３】
2019153095.tif 000005
【図４】
2019153095.tif 000006
【図５】
2019153095.tif 000007
【図６】
2019153095.tif 000008
【図７】
2019153095.tif 000009
【図８】
2019153095.tif 000010